(57)【要約】【課題】ベランダ等の長さや形状に応じてテグスを簡単に張り渡すことができ、張り渡したテグスが風雨等の影響を受けて弛緩することなく長期間の使用に耐え、支柱が強靭で風雨にさらされても劣化しないことなどを満足する鳥類飛来防止ネットを提供する。【解決手段】複数本の支柱３間にテグス５を平行に張り渡し、この支柱３の脚部４を保持する筒軸２の台座１をベランダ等に固着するようにした鳥類飛来防止ネットであって、前記平行に張り渡すテグス５を１本のテグスで構成し、該支柱３に設けた複数個の穴７またはリング８に順次縫うように通して連結するようにした。また前記筒軸２と平板台座１とをステンレスまたは合成樹脂で一体に形成した。また前記支柱３を強靭な棒状の合成樹脂で形成した。さらに張り渡したテグス５の最下端数ヶ所に日光に反射する複数枚の短冊を設けた。【選択図】図１
0003120783.tif 000002
【実用新案登録請求の範囲】
【請求項１】
複数本の支柱（３）間にテグス（５）を平行に張り渡し、この支柱（３）の脚部（４）を保持する筒軸（２）の台座（１）をベランダ等に固着するようにした鳥類飛来防止ネットであって、前記平行に張り渡すテグス（５）を１本のテグスで構成し、該支柱（３）に設けた複数個の穴（７）またはリング（８）に順次縫うように通して連結するようにした鳥類飛来防止ネット。
【請求項２】
前記筒軸（２）と平板台座（１）とをステンレスまたは合成樹脂で一体に形成した請求項１記載の鳥類飛来防止ネット。
【請求項３】
前記支柱（３）を強靭な棒状の合成樹脂で形成した請求項１記載の鳥類飛来防止ネット。
【請求項４】
張り渡したテグス（５）の最下端数ヶ所に日光に反射する複数枚の短冊（６）を設けた請求項１記載の鳥類飛来防止ネット。
【考案の詳細な説明】
【技術分野】
【０００１】
本考案は、集合住宅のベランダ等に支柱を立ててテグスを張り渡す鳥類飛来防止ネットに関するものである。
【背景技術】
【０００２】
従来、集合住宅のベランダ等、建築物の開放された張出し部への鳥類の飛来を防止するために、レールを設置して防鳥用ネットをスライド開閉自在としたもの、防鳥用ネットを支持する支柱を伸縮式としたもの、ベランダの開口部を棚状ネットで塞ぐもの、本出願人が出願した一対の支柱間に複数本のテグスを張り渡すものなどが下記の特許文献に開示されている。
【特許文献１】特開平０４−９４６３２号
【特許文献２】特開２００１−５７８３９号
【特許文献３】特開２００１−２２７０５７号
【特許文献４】登録実用新案第３１１６０２９号
【考案の開示】
【考案が解決しようとする課題】
【０００３】
かかる建築物の開放された張出し部に鳥類飛来防止ネットを設置する場合、簡易な構造で容易に設置できること、通風、視界、住居の美観等に影響を及ぼさないこと、低コストであること、設置後に管理の労力を必要としないこと、取付け、取外しが簡単にできてベランダの手すり等の使用に支障がないこと、風雨による腐食、破損等のおそれがないこと等が必要である。
【０００４】
さらにベランダ等の長さや形状に応じてテグスを簡単に張り渡すことができること、張り渡したテグスが風雨等の影響を受けて弛緩することなく長期間の使用に耐えること等が必要である。また支柱が強靭で風雨にさらされても劣化しないことなどを満足する鳥類飛来防止ネットを提供する。
【課題を解決するための手段】
【０００５】
本考案の鳥類飛来防止ネットは、複数本の支柱３間にテグス５を平行に張り渡し、この支柱３の脚部４を保持する筒軸２の台座１をベランダ等に固着するようにした鳥類飛来防止ネットであって、前記平行に張り渡すテグス５を１本のテグスで構成し、該支柱３に設けた複数個の穴７またはリング８に順次縫うように通して連結するようにした。また前記筒軸２と平板台座１とをステンレスまたは合成樹脂で一体に形成した。
【０００６】
また前記支柱３を強靭な棒状の合成樹脂で形成した。さらに張り渡したテグス５の最下端数ヶ所に日光に反射する複数枚の短冊６を設けたことなどを特徴としている。
【考案の効果】
【０００７】
本考案の鳥類飛来防止ネットは、筒軸２と台座１とをステンレスまたは合成樹脂で一体に形成したので、風雨等による腐食、破損の恐れがなく長期間の使用に耐えることができる。またベランダ等の長さや形状に応じて台座１を適宜な位置へ固着させ、筒軸２に複数本の支柱３を嵌合させることによって、簡単かつ容易にテグス５を適宜な場所へ張り渡すことが可能である。
【０００８】
また支柱３は台座１に固定した軸筒２に嵌め込んで立設するから、容易に取付け、取外しができる。またテグス５は切断することなく支柱３に設けた数ヶ所の穴７に１本のテグスで縫うように連続して通し連結するので設置時の張設が容易なうえ、張り渡したテグス５が弛緩したり支柱３が撚り戻したりする恐れがない。
【０００９】
また支柱３は強靭な棒状の合成樹脂で形成したので、風雨等による腐食、破損の恐れがなく長期間の使用に耐えることができる。支柱３の数ヶ所に穴７またはリング８を設けることによって、複数本の支柱３をたたみ合わせて１本のテグス５で縫うように通していけば容易に連結することができる。またテグス５で連結した支柱３間は、ベランダ等の長さに応じてその幅を広げることにより、適宜な位置に容易にテグス５を張り渡すことができる。また支柱３の取付け、取外しは容易であり、軽量なのでベランダ等に負担がかかることがない。ポリエステルからなる短冊を吊り下げるようにしたのできらきら光り鳥類が警戒して寄り付かないなどの効果を有する。
【考案を実施するための最良の形態】
【００１０】
本考案の鳥類飛来防止ネットは、複数本の支柱３間に複数本のテグス５を平行に張り渡したものであって、この支柱３の脚部４を筒軸２で支持するようにすると共に、この筒軸２を固定した平板状の台座１をベランダ等の適宜な位置に接着剤またはビスで固定するようにした。また前記筒軸２と平板台座１とをステンレスで一体に形成し、支柱３は強靭な円形棒状の合成樹脂で形成し数ヶ所に穴７またはリング８を設けた。
【実施例１】
【００１１】
以下、添付図面に従って実施例を説明する。図１、図２に示すように本考案の鳥類飛来防止ネットは、複数本の支柱３間にテグス５を複数本平行に張り渡したものであって、この支柱３の脚部４を筒軸２で支持するようにすると共に、この筒軸２を固定した平板状の台座１をベランダ等の適宜な位置に接着剤またはビスで固定するようにした。また前記筒軸２と平板台座１とをステンレスまたは合成樹脂で一体に形成する。支柱３は強靭な円形棒状の合成樹脂で形成し数ヶ所にテグス５を通す穴７またはリング８を設けた。図１は３本の支柱３を用いてＬ字型のコーナーのあるベランダに設置する場合である。図２はストレートなベランダに２本の支柱３を用いて設置したものである。
【００１２】
前記支柱３の脚部４を嵌合する筒軸２を備えた台座１は、図３に示すように厚さ０．９ｍｍ〜１．２ｍｍのステンレス板であって、その一端中央に直径１ｃｍ〜１．２ｃｍ、高さ７ｃｍ〜１０ｃｍのステンレス製の筒軸２に内ネジを切り、ビス１１で固定する。ステンレスを用いない場合は、台座１および筒軸２を合成樹脂で一体成形してもよい。この台座１をベランダ等に固着する場合は、台座１の裏面に接着剤を塗布して接着するか、またはネジを使用して固着できるようにネジ穴９を設けてある。
【００１３】
図４に示す支柱３は直径７ｍｍ〜１ｃｍ、長さ７０ｃｍ〜１ｍの円形棒状の強靭な合成樹脂で形成し、数ヶ所に１０ｃｍ〜１５ｃｍの等間隔でテグス５を通すための径１．５ｍｍ〜２ｍｍの穴７を設ける。テグス５は市販の径０．３ｍｍ〜０．５ｍｍを使用する。１本のテグス５を用い複数本の支柱３を連結するときは、複数本の支柱３をたたみ合わせ、テグス５を支柱３に設けた穴７に下方から順次上方向に通して縫うように連結する。従って支柱３を束ねてもテグス５が弛緩せず絡み合うことが無い。保管または輸送時はこのようにテグス３を通した状態で支柱３を束ねておく。また前記支柱３に設けるテグス５を通す穴７の代わりに図５に示すような直径２ｍｍ〜５ｍｍのリング８を設け、このリングにテグス５を通しても良い。
【００１４】
そしてベランダなどへ設置する場合は、一本のテグス５を用い複数本の支柱３間を縫うように通して連結した支柱３を広げながらベランダ長さに合わせてテグスを張り切った状態にして設置する。かくしてベランダ等の長さや形状に応じ適切な位置にテグスネットを設置することができる。
【００１５】
また張設したテグス５の最下端数ヶ所には、縦４ｃｍ〜５ｃｍ、横２ｃｍ〜３ｃｍの日光に反射するポリエステル粘着テープからなる短冊を貼付することによって、遠方からでもきらきら光るので鳥類は警戒して近づかず、さらに鳥類飛来防止の効果が期待できる。
【図面の簡単な説明】
【００１６】
【図１】本考案、３本の支柱を用いた鳥類飛来防止ネットの正面図である。
【図２】本考案、２本の支柱を用いた鳥類飛来防止ネットの正面図である。
【図３】支柱を支持する台座及び筒軸の斜視図である。
【図４】テグスを通す穴をあけた支柱の正面図である。
【図５】テグスを通すリングを設けた支柱の側面図である。
【図６】複数本の支柱を１本のテグスで連結する状態図である。
【符号の説明】
【００１７】
１  台座
２  筒軸
３  支柱
４  支柱の脚部
５  テグス
６  短冊
７  テグスを通す支柱穴
８  テグスを通す支柱リング
９  ネジ用穴
１０  テグス結縛部
１１  ビス
【図１】
0003120783.tif 000003
【図２】
0003120783.tif 000004
【図３】
0003120783.tif 000005
【図４】
0003120783.tif 000006
【図５】
0003120783.tif 000007
【図６】
0003120783.tif 000008